(57)【要約】【課題】市場で発生している不良撲滅に最適な検査基準書の作成を支援する検査基準書作成支援装置、検査基準書作成支援方法およびプログラムを提供する。【解決手段】特定部１１７は、不良実績ＤＢ１３３から不良実績情報を取得し、検査実績ＤＢ１３４を参照して、不良実績情報の対象製品の検査で用いられた検査基準書を特定し、検査項目ＤＢ１３５を参照して、不良モード情報が示す不良モードの不良を検出するための検査項目を特定する。判定部１１３は、検査基準書ＤＢ１３２から特定部１１７により特定された検査基準書を取得し、取得した検査基準書における、特定部１１７により特定された検査項目の有無を判定する。情報出力部１１８は、判定部１１３による判定結果に応じて、検査項目に関する検査項目情報を表示部１０５へ出力する。【選択図】図８
2018014055.tif 000002
【特許請求の範囲】
【請求項１】
製品に関する検査項目と検査基準とを定めた検査基準書を記憶する検査基準書データベースと、
各製品について検査で用いられた検査基準書の検査基準書識別情報を含む検査実績情報を記憶する検査実績データベースと、
前記製品の納入先で検出された不良製品の不良モードを示す不良モード情報を含む不良実績情報を記憶する不良実績データベースと、
前記不良モードと前記不良モードの不良を検出するための検査項目とを対応づけて記憶する検査項目データベースと、
前記不良実績データベースから不良実績情報を取得し、前記検査実績データベースを参照して、前記不良実績情報の対象製品の検査で用いられた検査基準書を特定し、前記検査項目データベースを参照して、前記不良モード情報が示す不良モードの不良を検出するための検査項目を特定する特定部と、
前記検査基準書データベースから前記特定部により特定された検査基準書を取得し、取得した検査基準書における、前記特定部により特定された検査項目の有無を判定する判定部と、
前記判定部による判定結果に応じて、前記特定された検査項目に関する検査項目情報を出力する情報出力部と、を備える、
検査基準書作成支援装置。
【請求項２】
前記情報出力部は、前記判定部により、前記取得した検査基準書に含まれる検査項目の中に、前記特定部の特定した検査項目が無いと判定されると、前記特定した検査項目を追加するよう催促するメッセージを示す第１検査項目情報を出力し、前記判定部により、前記取得した検査基準書に含まれる検査項目の中に、前記特定部の特定した検査項目が有ると判定されると、前記特定した検査項目に対応する検査基準を更新するよう催促するメッセージを示す第２検査項目情報を出力する、
請求項１に記載の検査基準書作成支援装置。
【請求項３】
前記不良実績データベースは、更に、前記不良モードの写真データを、前記不良モード情報と対応づけて記憶し、
前記情報出力部は、前記特定された検査項目に関する情報とともに、前記不良モード情報に対応する写真データを出力する、
請求項１または２に記載の検査基準書作成支援装置。
【請求項４】
前記不良モードの写真データは、不良モード情報毎に複数存在し、
不良モード情報毎に、複数の写真データそれぞれの特徴量に基づいて、前記複数の写真データの中から前記情報出力部に出力させる写真データを選定する写真選定部を更に備える、
請求項３に記載の検査基準書作成支援装置。
【請求項５】
前記製品について必須の第１検査項目と前記第１検査項目の第１検査基準とを記憶する必須検査基準データベースと、
ユーザが指定した第２検査項目と前記第２検査項目の第２検査基準とを受け付ける受付部と、
前記第１検査項目および前記第１検査基準と、前記第２検査項目および前記第２検査基準と、を含む検査基準書を作成する検査基準書作成部と、
前記受付部が受け付けた第２検査項目および第２検査基準を用いて前記検査基準書の内容を更新する更新部と、を更に備える、
請求項１から４のいずれか１項に記載の検査基準書作成支援装置。
【請求項６】
製品の納入先で検出された不良製品の不良モードを示す不良モード情報を含む不良実績情報を記憶する不良実績データベースから不良実績情報を取得し、各製品について検査で用いられた検査基準書の検査基準書識別情報を含む検査実績情報を記憶する検査実績データベースを参照して、前記不良実績情報の対象の製品の検査で用いられた検査基準書を特定するとともに、前記不良モードと前記不良モードの不良を検出するための検査項目とを対応づけて記憶する検査項目データベースを参照して、前記不良モード情報が示す不良モードの不良を検出するための検査項目を特定するステップと、
製品に関する検査項目と検査基準とを定めた検査基準書を記憶する検査基準書データベースから、特定された検査基準書を取得し、取得した検査基準書における、特定された検査項目の有無を判定するステップと、
判定結果に応じて、前記特定された検査項目に関する検査項目情報を出力するステップと、を含む、
検査基準書作成支援方法。
【請求項７】
コンピュータを、
製品の納入先で検出された不良製品の不良モードを示す不良モード情報を含む不良実績情報を記憶する不良実績データベースから不良実績情報を取得し、各製品について検査で用いられた検査基準書の検査基準書識別情報を含む検査実績情報を記憶する検査実績データベースを参照して、前記不良実績情報の対象の製品の検査で用いられた検査基準書を特定するとともに、前記不良モードと前記不良モードの不良を検出するための検査項目とを対応づけて記憶する検査項目データベースを参照して、前記不良モード情報が示す不良モードの不良を検出するための検査項目を特定する特定部、
製品に関する検査項目と検査基準とを定めた検査基準書を記憶する検査基準書データベースから、前記特定部により特定された検査基準書を取得し、取得した検査基準書における、前記特定部により特定された検査項目の有無を判定する判定部、
判定結果に応じて、前記特定された検査項目に関する検査項目情報を出力する情報出力部、
として機能させるためのプログラム。
【発明の詳細な説明】
【技術分野】
【０００１】
本発明は、検査基準書作成支援装置、検査基準書作成支援方法およびプログラムに関する。
【背景技術】
【０００２】
製造業者が製品を出荷する直前に製品の性能を検査し、その製品の納入先から要求されている基準を満足しない不良製品が納入先へ流出するのを防止する方法が提案されている（例えば特許文献１参照）。
【先行技術文献】
【特許文献】
【０００３】
【特許文献１】特開２０１４−２５８５８号公報
【発明の概要】
【発明が解決しようとする課題】
【０００４】
ところで、このような製品の出荷前検査を導入していても納入先へ不良製品が流出してしまう場合がある。この場合、製造業者では、納入先へ流出した不良製品の不良モード等を把握して出荷前検査の検査項目や検査基準を見直すことにより、納入先への不良製品流出を防止する必要がある。
【０００５】
本発明は、上記事由に鑑みてなされたものであり、市場で発生している不良撲滅に最適な検査基準書の作成を支援する検査基準書作成支援装置、検査基準書作成支援方法およびプログラムを提供することを目的とする。
【課題を解決するための手段】
【０００６】
第１の観点から見た本発明に係る検査基準書作成支援装置は、
製品に関する検査項目と検査基準とを定めた検査基準書を記憶する検査基準書データベースと、
各製品について検査で用いられた検査基準書の検査基準書識別情報を含む検査実績情報を記憶する検査実績データベースと、
前記製品の納入先で検出された不良製品の不良モードを示す不良モード情報を含む不良実績情報を記憶する不良実績データベースと、
前記不良モードと前記不良モードの不良を検出するための検査項目とを対応づけて記憶する検査項目データベースと、
前記不良実績データベースから不良実績情報を取得し、前記検査実績データベースを参照して、前記不良実績情報の対象製品の検査で用いられた検査基準書を特定し、前記検査項目データベースを参照して、前記不良モード情報が示す不良モードの不良を検出するための検査項目を特定する特定部と、
前記検査基準書データベースから前記特定部により特定された検査基準書を取得し、取得した検査基準書における、前記特定部により特定された検査項目の有無を判定する判定部と、
前記判定部による判定結果に応じて、前記特定された検査項目に関する検査項目情報を出力する情報出力部と、を備える。
【０００７】
第２の観点から見た本発明に係る検査基準書作成方法は、
製品の納入先で検出された不良製品の不良モードを示す不良モード情報を含む不良実績情報を記憶する不良実績データベースから不良実績情報を取得し、各製品について検査で用いられた検査基準書の検査基準書識別情報を含む検査実績情報を記憶する検査実績データベースを参照して、前記不良実績情報の対象の製品の検査で用いられた検査基準書を特定するとともに、前記不良モードと前記不良モードの不良を検出するための検査項目とを対応づけて記憶する検査項目データベースを参照して、前記不良モード情報が示す不良モードの不良を検出するための検査項目を特定するステップと、
製品に関する検査項目と検査基準とを定めた検査基準書を記憶する検査基準書データベースから、特定された検査基準書を取得し、取得した検査基準書における、特定された検査項目の有無を判定するステップと、
判定結果に応じて、前記特定された検査項目に関する検査項目情報を出力するステップと、を含む。
【０００８】
第３の観点から見た本発明に係るプログラムは、
コンピュータを、
製品の納入先で検出された不良製品の不良モードを示す不良モード情報を含む不良実績情報を記憶する不良実績データベースから不良実績情報を取得し、各製品について検査で用いられた検査基準書の検査基準書識別情報を含む検査実績情報を記憶する検査実績データベースを参照して、前記不良実績情報の対象の製品の検査で用いられた検査基準書を特定するとともに、前記不良モードと前記不良モードの不良を検出するための検査項目とを対応づけて記憶する検査項目データベースを参照して、前記不良モード情報が示す不良モードの不良を検出するための検査項目を特定する特定部、
製品に関する検査項目と検査基準とを定めた検査基準書を記憶する検査基準書データベースから、前記特定部により特定された検査基準書を取得し、取得した検査基準書における、前記特定部により特定された検査項目の有無を判定する判定部、
判定結果に応じて、前記特定された検査項目に関する検査項目情報を出力する情報出力部、
として機能させる。
【発明の効果】
【０００９】
本発明によれば、特定部が、不良実績情報の対象の製品の検査で用いられた検査基準書を特定するとともに、不良モード情報が示す不良モードの不良を検出するための検査項目を特定する。そして、判定部が、特定部により特定された検査基準書の検査項目における、特定部により特定された検査項目の有無を判定する。情報出力部が、判定部による判定結果に応じて、特定された検査項目に関する検査項目情報を出力する。これにより、ユーザは、情報出力部が出力する検査項目情報を参照して、特定された検査基準書への特定された検査項目の追加または特定された検査項目の検査基準の更新が可能となる。そして、情報出力部が出力する情報に基づいて検査項目の追加または検査基準の更新がなされた検査基準書を用いて検査が実施されることにより、特定された検査項目に対応する不良モードの不良を有する製品の市場への流出が防止される。つまり、本発明によれば、市場で発生している不良撲滅に最適な検査基準書の作成を支援することができる。
【図面の簡単な説明】
【００１０】
【図１】本発明の実施の形態に係る検査基準書作成支援システムを示す概略図である。
【図２】実施の形態に係る検査基準書作成支援装置、サーバおよび端末装置のハードウェア構成を示すブロック図である。
【図３】実施の形態に係る検査基準書作成支援システムの動作を示すシーケンス図である。
【図４】実施の形態に係る検査基準書作成支援装置の表示部に表示される画面の一例を示す図である。
【図５】実施の形態に係る端末装置の表示部に表示される画面の一例を示す図である。
【図６】実施の形態に係るサーバの表示部に表示される画面の一例を示す図である。
【図７】（Ａ）は実施の形態に係る検査基準書作成支援装置の表示部に表示される画面の一例を示す図であり、（Ｂ）は実施の形態に係る検査基準書作成支援装置の表示部に表示される画面の他の一例を示す図である。
【図８】実施の形態に係る検査基準書作成支援装置の機能構成を示すブロック図である。
【図９】（Ａ）は、実施の形態に係る必須検査基準データベースの内容を示す図であり、（Ｂ）は、実施の形態に係る不良実績データベースの内容を示す図である。
【図１０】実施の形態に係る検査基準書データベースの内容を示す図である。
【図１１】（Ａ）は実施の形態に係る検査実績データベースの内容を示す図であり、（Ｂ）は実施の形態に係る検査項目データベースの内容を示す図である。
【図１２】実施の形態に係る検査基準書作成支援装置が実行する検査基準書作成処理を示すフローチャートである。
【図１３】（Ａ）および（Ｂ）は、実施の形態に係る検査基準書作成支援装置の表示部に表示される画面の一例を示す図である。
【図１４】実施の形態に係る検査基準書作成支援装置が実行する検査基準書作成処理を示すフローチャートである。
【図１５】実施の形態に係る検査基準書作成支援装置が実行する写真選定処理を示すフローチャートである。
【発明を実施するための形態】
【００１１】
以下、本発明の一実施の形態に係る検査基準書作成支援システムについて図面を参照して詳細に説明する。本実施の形態に係る検査基準書作成支援システムは、このシステムを使用する事業者の検査部門で使用される外観検査基準書の一部の検査項目について、事業者が製品納入先から通知された製品の不良モードに関する不良モード情報に応じて随時検査基準の更新を行うものである。つまり、この検査基準書作成支援システムは、製品の検査基準書について、その製品の市場で発生した不良モードに応じてその検査基準を最適な基準に更新することを可能にするものである。
【００１２】
この検査基準書作成支援システムは、図１に示すように、検査部門で行われる外観検査の検査基準書を管理する検査基準書作成支援装置１と、複数のサーバ２と、端末装置３と、を備える。端末装置３は、検査部門に設置され、検査部門の作業者に検査基準書を提供する。端末装置３には、検査基準書の内容を紙媒体ＤＰに印刷するためのプリンタ４が接続されている。複数のサーバ２は、それぞれ営業部門の拠点に設置されている。検査基準書作成支援装置１と各サーバ２とは、インタ−ネット等の広域ネットワークＷＮＴを介して接続されている。検査基準書作成支援装置１と端末装置３とは、ＬＡＮ（Local Area Network）等の局所ネットワークＬＮＴを介して接続されている。
【００１３】
サーバ２は、営業部門の各拠点が担当するエリアの顧客に納入した製品について顧客から通知される不良モードに関する不良実績情報（例えば不良が発生している製品の写真）を蓄積している。各拠点の営業マンは、顧客からその顧客に納入した製品について不良の発生が通知されると、通知された不良の不良実績情報をサーバ２に入力する。
【００１４】
端末装置３は、検査部門に属する作業者が端末装置３に対して行った操作に応じて、検査基準書作成支援装置１から各製品の検査基準書を取得し、取得した検査基準書を、表示部（図示せず）を介して作業者に提示する。作業者は、端末装置３の表示部に表示される検査基準書、あるいは、プリンタ４により紙媒体ＤＰに印刷された検査基準書を確認しながら検査作業を行う。
【００１５】
検査基準書作成支援装置１は、図２に示すように、処理部１０１と、記憶部１０３と、入力部１０４と、表示部１０５と、局所通信部１０６と、広域通信部１０７と、プリンタ通信部１０８と、を備える。この検査基準書作成支援装置１は、汎用のパーソナルコンピュータ等から構成される。
【００１６】
処理部１０１は、ＣＰＵ（Central Processing Unit）と、ＲＡＭ（Random Access Memory）と、を有する。ＲＡＭは、ＣＰＵの作業領域として用いられる。ＣＰＵは、記憶部１０３に記憶されたプログラムをＲＡＭに読み出して実行することにより、検査基準書作成支援装置１を制御する。
【００１７】
記憶部１０３は、磁気ディスク、半導体メモリ等の不揮発性メモリを有している。記憶部１０３は、処理部１０１のＣＰＵが実行するプログラムおよび各種パラメータ等を記憶している。また、記憶部１０３は、後述する各種データベースを記憶する。
【００１８】
入力部１０４は、キーボード等から構成される。入力部１０４は、検査管理部門に属するユーザが入力する各種操作情報を受け付けて、受け付けた操作情報を処理部１０１へ出力する。表示部１０５は、液晶ディスプレイ等から構成される。表示部１０５は、処理部１０１から入力された各種情報を表示する。
【００１９】
局所通信部１０６はＬＡＮインタフェース等を備え、局所ネットワークＬＮＴを介して複数の端末装置３に接続されている。広域通信部１０７は、広域ネットワークＷＮＴに接続されている。プリンタ通信部１０８は、パラレルインタフェース等を備え、プリンタ４に接続されている。
【００２０】
サーバ２は、処理部２０１と、記憶部２０３と、入力部２０４と、表示部２０５と、広域通信部２０７と、を備える。サーバ２は、汎用のパーソナルコンピュータや携帯情報端末等から構成される。入力部２０４は、キーボード等から構成され、営業部門に属するユーザが入力する各種操作情報を受け付けて、受け付けた操作情報を処理部２０１へ出力する。広域通信部２０７は、広域ネットワークＷＮＴに接続されている。処理部２０１、記憶部２０３および表示部２０５は、前述の処理部１０１、記憶部１０３および表示部１０５と同様である。サーバ２は、不良実績情報が入力される毎に、入力された不良実績情報を、広域ネットワークＷＮＴを介して検査基準書作成支援装置１へ送信する。
【００２１】
端末装置３は、処理部３０１と、記憶部３０３と、入力部３０４と、表示部３０５と、局所通信部３０６と、を備える。端末装置３は、汎用のパーソナルコンピュータや携帯情報端末等から構成される。入力部３０４は、キーボード等から構成され、検査部門の作業者が入力する各種操作情報を受け付けて、受け付けた操作情報を処理部３０１へ出力する。局所通信部３０６は、局所ネットワークＬＮＴに接続されている。処理部３０１、記憶部３０３および表示部３０５は、前述の処理部１０１、記憶部１０３および表示部１０５と同様である。
【００２２】
次に、本実施の形態に係る検査基準書作成支援システムの動作について図３から図６を参照しながら説明する。まず、検査基準書作成支援装置１は、図３に示すように、製品の性能を保証する上で必須となる検査項目と、製品の納入先から要求されると予想される検査項目と、を含む検査基準書を作成する（ステップＳ１）。製品納入先から要求されると予想される検査項目、検査基準等は、検査管理部門に属するユーザが入力部１０４を操作することにより検査基準書作成支援装置１に入力される。検査基準書作成支援装置１は、ユーザに対して、例えば図４に示すような、入力催促メッセージＭ１と、製品の種類を示す品番を入力する品番入力欄ＰＮと、検査項目、検査基準、写真データ名を入力する入力欄Ｂ１、Ｂ２、Ｂ３と、を含むウィンドウ１５ａを表示部１０５に表示する。検査項目を入力する入力欄Ｂ１は、「キズの有無」、「折れの有無」、「フェライト粉末残りの有無」等の検査項目が予め設定されたポップアップメニューＰＭが出るように設定されている。ユーザが、例えばポップアップメニューから「キズの有無」を選択すると、検査項目に「キズの有無」が登録される。また、ユーザは、検査基準書に写真を掲載する場合、予め入力部１０４を操作して掲載する写真データを記憶部１０３に記憶させておき、写真データ名の入力欄Ｂ３に記憶部１０３に記憶させた写真データ名を入力する。例えば、ユーザは、予め「キズの有無」の検査の指標となるキズ付き製品の写真データを記憶部１０３に記憶させておき、検査項目「キズの有無」に対応する写真データ名の入力欄Ｂ３に、予め記憶部１０３に記憶させたキズ付き製品の写真データのファイル名を入力する。ユーザは、品番、検査項目、検査基準および写真データ名の入力が完了すると、ウィンドウ１５ａの「入力完了」釦ＥＫをクリックする。そうすると、検査基準書作成支援装置１は、予め登録されている必須の検査項目に関する情報と、ユーザがウィンドウ１５ａから入力した情報と、を用いて検査基準書を作成する。ここにおいて、検査基準書作成支援装置１は、検査基準書設定システムを使用する事業者が製造する製品の全種類について検査基準書を作成する。作成された各種製品の検査基準書は、各製品に付与された品番を示す品番情報と対応づけられた形で記憶部１０３に記憶される。
【００２３】
図３に戻って、検査基準書が作成された後、検査部門の作業者が端末装置３の入力部３０４に対して予め定められた操作を行うと、検査基準書の送信を要求する検査基準書送信要求が、端末装置３から検査基準書作成支援装置１へ送信されるとする（ステップＳ２）。検査基準書送信要求には、作業者が検査を行う対象とする製品の品番情報が含まれている。
【００２４】
一方、検査基準書作成支援装置１は、端末装置３から検査基準書送信要求を受信すると、記憶部１０３が記憶する複数種類の検査基準書の中から、検査基準書送信要求に含まれる品番情報に対応する検査基準書を選出する（ステップＳ３）。
【００２５】
次に、選出した検査基準書が、検査基準書作成支援装置１から端末装置３へ送信される（ステップＳ４）。
【００２６】
端末装置３は、検査基準書作成支援装置１から検査基準書を受信すると、受信した検査基準書を表示部３０５に表示する（ステップＳ５）。端末装置３は、検査部門に属するユーザに対して、例えば図５に示すような、製品の品番を表示する品番表示欄ＰＮＤと、管理番号表示欄ＶＮと、検査項目表示欄Ｂ３１と、検査基準表示欄Ｂ３２と、写真表示欄Ｂ３３と、を含む検査基準書のウィンドウ３５ａを表示部３０５に表示する。管理番号表示欄ＶＮには、検査基準書の管理番号が表示される。検査項目表示欄Ｂ３１には、各種検査項目が表示される。検査基準表示欄Ｂ３２には、検査基準や写真を参照する旨の指示等が表示される。写真表示欄Ｂ３３には、各種検査項目に対応する写真Ａ２、Ａ３、Ａ４１、Ａ４２が表示される。ユーザは、この検査基準書を端末装置３に接続されたプリンタ４（図１参照）へ送信することにより検査基準書を紙媒体ＤＰに印刷することができる。ユーザは、この検査基準書を閲覧しながら製品の外観検査を実施する。
【００２７】
図３に戻って、ユーザが入力部３０４を操作して端末装置３へ検査が終了した製品の品番とそのロット番号とを含む検査実績情報を入力すると、端末装置３は、その検査実績情報を取得する（ステップＳ６）。続いて、その検査実績情報が、端末装置３から検査基準書作成支援装置１へ送信される（ステップＳ７）。検査が終了した製品は、納入先へ納入される。
【００２８】
製品が納入先へ納入された後、営業部門に属するユーザは、納入先から納入された製品の中に外観不良の製品が存在する旨の通知を受けたとする。この場合、ユーザは、サーバ２の入力部２０４を操作することにより、製品の納入先から通知された外観不良の不良モードに関する情報をサーバ２へ入力する（ステップＳ８）。不良モードに関する情報には、納入先から入手した外観不良の製品の写真データが含まれる。サーバ２は、ユーザに対して、例えば図６に示すような、入力催促メッセージＭ２と、製品の品番を入力する品番入力欄ＰＮと、ロット番号を表示するロット番号入力欄ＬＮと、不良モード、写真データ名を入力する入力欄Ｂ２１、Ｂ２２と、を含むウィンドウ２５ａを表示部２０５に表示する。不良モードを入力する入力欄Ｂ２１は、「キズ」、「折れ」、「フェライト粉末残り」等の不良モードが予め設定されたポップアップメニューＰＭが出るように設定されている。ユーザが、例えばポップアップメニューから「キズ」を選択すると、不良モードに「キズ」が登録される。また、ユーザは、納入先から入手した外観不良の製品の写真がある場合、予め入力部１０４を操作して入手した写真の写真データを記憶部２０３に記憶させておき、写真データ名の入力欄Ｂ２２に記憶部２０３に記憶させた写真データ名を入力する。例えば、ユーザは、予め不良モードが「キズ」に相当する外観不良の製品の写真データを記憶部２０３に記憶させておき、不良モード「キズ」に対応する写真データ名の入力欄Ｂ３に、予め記憶部２０３に記憶させた外観不良の製品の写真データ名を入力する。ユーザは、品番、ロット番号、不良モードおよび写真データ名の入力が完了すると、ウィンドウ２５ａの「入力完了」釦ＥＫをクリックする。そうすると、サーバ２は、ユーザが入力した各種情報を含む不良実績情報を記憶部２０３に記憶する。不良実績情報には、ユーザが入力した品番情報、ロット番号情報および不良モード情報と、ユーザが入力した写真データ名が付与された写真データと、が含まれる。ユーザが、複数の写真データ名を入力すると、不良実績情報に、複数の写真データが含まれることになる。
【００２９】
図３に戻って、サーバ２が不良実績情報を記憶部２０３に記憶した後、その不良実績情報が、サーバ２から検査基準書作成支援装置１へ送信される（ステップＳ９）。
【００３０】
検査基準書作成支援装置１は、不良実績情報を受信すると、不良実績情報に複数の写真データが含まれる場合、その複数の写真データの中からユーザに提示する写真データを選定する（ステップＳ１０）。不良実績情報に含まれる写真データが１つの場合は、その１つの写真データを選定する。
【００３１】
続いて、検査基準書作成支援装置１は、受信した不良実績情報に含まれる不良モード情報に対応する検査項目と、選定した写真データと、を通知する（ステップＳ１１）。
【００３２】
例えば不良実績情報に、不良モード「キズ」を示す情報と、それに対応する写真データと、が含まれ、検査基準書には、不良モード「キズ」に対応する検査項目が含まれているとする。この場合、検査基準書作成支援装置１は、例えば図７（Ａ）に示すようなウィンドウ１５ｂを表示部１０５に表示する。このウィンドウ１５ｂには、製品の品番を表示する品番表示欄Ｂ１１と、製品の検査に用いられた検査基準書の管理番号を表示する管理番号表示欄Ｂ１６と、不良モード情報を表示する不良モード表示欄Ｂ１２と、が表示される。また、ウィンドウ１５ｂには、更に、検査基準の見直しが必要な検査項目を示す見直し検査項目表示欄Ｂ１３と、選定された写真データが表示される写真表示欄Ｂ１４と、その写真データの名称を表示する写真データ名表示欄Ｂ１５と、が表示される。検査管理部門に属するユーザは、このウィンドウ１５ｂの見直し検査項目表示欄Ｂ１３と写真データ名表示欄Ｂ１５とを閲覧することにより、品番表示欄Ｂ１１に表示された品番の製品について検査基準の見直しが必要な検査項目と、その検査項目に対応する写真欄に掲載すべき写真データの名称と、を把握することができる。
【００３３】
図３に戻って、ユーザが入力部１０４に対して検査基準の見直しが必要な検査項目について検査基準書の内容を更新するための操作を行うと、検査基準書作成支援装置１は、その操作内容に応じて検査基準書の内容を更新する（ステップＳ１２）。検査基準書作成支援装置１が、図４に示すようなウィンドウ１５ａを表示部１０５に表示させている状態において、ユーザが入力部１０４から検査基準の見直しが必要な製品の品番を品番入力欄ＰＮに入力したとする。この場合、検査基準書作成支援装置１は、図７（Ｂ）に示すように、その品番が付与された製品の検査基準書に対応する検査項目、検査基準および写真データ名を各入力欄Ｂ１、Ｂ２、Ｂ３に表示する。ここで、ユーザが、検査項目「キズの有無」に対応する写真データ名の入力欄Ｂ３０１（図７（Ｂ）の一点鎖線で囲んだ部分参照）を、写真データＡ２１の写真データ名に書き換えてからウィンドウ１５ａの「入力完了」釦ＥＫをクリックする。すると、検査基準書作成支援装置１は、検査基準書の検査項目「キズの有無」に対応する写真データを写真データＡ２１に更新する。
【００３４】
図３に戻って、検査基準書の内容が更新された後、検査部門の作業者が端末装置３の入力部３０４に対して予め定められた操作を行うと、検査基準書送信要求が、端末装置３から検査基準書作成支援装置１へ送信される（ステップＳ１３）。
【００３５】
一方、検査基準書作成支援装置１は、端末装置３から検査基準書送信要求を受信すると、検査基準書送信要求に含まれる品番情報に対応する検査基準書を選出する（ステップＳ１４）。そして、選出した検査基準書は、検査基準書作成支援装置１から端末装置３へ送信される（ステップＳ１５）。
【００３６】
端末装置３は、検査基準書作成支援装置１から検査基準書を受信すると、受信した検査基準書を表示部３０５に表示する（ステップＳ１６）。そして、検査部門に属するユーザは、この検査基準書を閲覧しながら製品の外観検査を実施する。端末装置３は、ユーザにより入力される、外観検査を終了した製品の品番とそのロット番号とを含む検査実績情報を取得する（ステップＳ１７）。その後、検査実績情報が、端末装置３から検査基準書作成支援装置１へ送信される（ステップＳ１８）。検査が終了した製品は、納入先へ納入される。
【００３７】
以後、ステップＳ８からステップＳ１８までの一連の処理が繰り返し実行されることにより、検査基準書の検査基準や写真データが繰り返し更新されていく。これにより、検査基準書作成支援装置１が保有する検査基準書の内容は、製品の納入先が求める検査基準に適合したものになる。
【００３８】
次に、本実施の形態に係る検査基準書作成支援システムの中核となる検査基準書作成支援装置１の機能構成について説明する。図２に示す処理部１０１が、記憶部１０３が記憶するプログラムを実行することにより、図８に示す各部として機能する。具体的には、処理部１０１は、受付部１１０、検査基準書作成部１１１、不良実績記録部１１２、特定部１１７、判定部１１３、写真選定部１１９、情報出力部１１８、更新部１１４、検査基準書提示部１１５および検査実績記録部１１６として機能する。また、記憶部１０３は、図８に示すように、必須検査基準データベース（ＤＢ）１３１と、検査基準書データベース（ＤＢ）１３２と、不良実績データベース（ＤＢ）１３３と、検査実績データベース（ＤＢ）１３４と、検査項目データベース（ＤＢ）１３５と、を有する。
【００３９】
必須検査基準ＤＢ１３１は、製品の性能を保証する上で必須となる検査項目と、その検査基準と、を記憶する。ユーザは、この必須検査基準ＤＢ１３１が記憶する検査項目について、検査基準と写真データとを更新することができない。必須検査基準ＤＢ１３１は、図９（Ａ）に示すように、製品の品番情報と、検査項目、検査基準および写真データと、を対応づけた形で記憶している。品番情報は、製品の仕様を識別するためのものである。図９（Ａ）に示す例では、品番「○○○○○」の製品についての必須検査項目が「繋ぎ目の間隔」であり、検査基準は３ｍｍ以下であることを示している。また、この検査項目の検査を実施する際に参照される写真が「写真Ａ１」であることを示している。
【００４０】
検査基準書ＤＢ１３２は、図１０に示すように、製品に関する検査項目と検査基準とを定めた検査基準書を記憶する。各検査基準書には、製品の品番毎に、管理番号が付与されている。管理番号は、検査基準書の内容が更新される毎に１ずつインクリメントされていく。また、検査基準書ＤＢ１３２は、検査基準書の各検査項目についてそれが必須の検査項目であるか否かを識別する必須識別情報も記憶している。図１０に示す例では、品番「○○○○○」の管理番号「Ｖｅｒ３」の検査基準書では、検査項目「繋ぎ目の間隔」が、必須の検査項目であることを示している。
【００４１】
不良実績ＤＢ１３３は、製品の納入先で検出された外観不良製品の不良モードを示す不良モード情報を含む不良実績情報を記憶する。不良実績情報には、外観不良製品の品番情報とロット番号情報と不良モード情報と写真データとが含まれている。写真データは、１つの場合もあれば複数存在する場合もある。不良実績ＤＢ１３３は、図９（Ｂ）に示すように、外観不良製品の不良モード情報と写真データと品番情報とロット番号情報とを互いに対応づけて記憶している。図９（Ｂ）に示す例では、品番「○○○○○」のロット番号「○○○○○−○○」の製品において、不良モードとして「キズ」と「折れ」とが存在したことを示している。また、不良モード「キズ」に対応する複数の写真データＡ２１、Ａ３１、・・・が存在し、不良モード「折れ」に対応する複数の写真データＡ２２、Ａ３２、・・・が存在している。これらの不良実績情報は、営業部門に設置されたサーバ２から検査基準書作成支援装置１へ送信されてくる。
【００４２】
検査実績ＤＢ１３４は、図１１（Ａ）に示すように、各製品について検査で用いられた検査基準書の管理番号（検査基準書識別情報）を含む検査実績情報を記憶する。検査実績情報には、検査部門のユーザが検査を実施した対象の製品の品番およびロット番号と、検査に使用した検査基準書の管理番号と、が含まれる。図１１（Ａ）に示す例では、品番「○○○○○」でありロット番号「○○○○○−○○」である製品が、管理番号「Ｖｅｒ３」の検査基準書を用いて検査されたことを示している。
【００４３】
検査項目ＤＢ１３５は、図１１（Ｂ）に示すように、製品の不良モードとその不良モードの不良を検出するための検査項目とを対応づけて記憶している。
【００４４】
図８に戻って、受付部１１０は、ユーザが入力部１０４を介して入力した検査項目や検査基準、写真データ名を示す情報を受け付ける。受付部１１０は、受け付けた各種情報を検査基準書作成部１１１または更新部１１４へ通知する。
【００４５】
検査基準書作成部１１１は、必須検査基準ＤＢ１３１から必須の検査項目とその検査項目に対応する検査基準および写真データとを取得する。そして、検査基準書作成部１１１は、必須検査基準ＤＢ１３１から取得した検査項目、検査基準および写真データと、受付部１１０から通知される検査項目、検査基準および写真データとを含む検査基準書を作成する検査基準書作成部１１１は、作成した検査基準書を検査基準書ＤＢ１３２に記憶させる。
【００４６】
不良実績記録部１１２は、サーバ２から広域通信部１０７を介して取得した不良実績情報を、不良実績ＤＢ１３３に記録する。不良実績記録部１１２は、受信した不良実績情報から、そこに含まれる外観不良の製品の品番、ロット番号、不良モードおよび写真データを抽出し、不良モードおよび写真データを、品番およびロット番号と対応づけて不良実績ＤＢに記録する。
【００４７】
検査基準書提示部１１５は、端末装置３から局所通信部１０６を介して検査基準書送信要求を取得すると、検査基準書送信要求に含まれる品番情報を抽出する。そして、検査基準書提示部１１５は、抽出した品番情報に対応する検査基準書を、検査基準書ＤＢ１３２が記憶する複数の検査基準書の中から選出して局所通信部１０６を介して端末装置３へ送信する。
【００４８】
検査実績記録部１１６は、端末装置３から局所通信部１０６を介して検査実績情報を取得すると、検査実績情報に含まれる品番情報、ロット番号情報および検査基準書の管理番号情報を抽出し、抽出した品番情報、ロット番号情報および管理番号情報を対応づけて検査実績ＤＢ１３４に記録する。
【００４９】
特定部１１７は、不良実績ＤＢ１３３から不良実績情報を取得し、検査実績ＤＢ１３４を参照して、不良実績情報の対象製品の検査で用いられた検査基準書を特定する。具体的には、特定部１１７は、不良実績情報に含まれる品番情報およびロット番号情報を有する対象製品の検査で用いられた検査基準書の管理番号を特定する。また、特定部１１７は、検査項目ＤＢ１３５を参照して、不良実績情報に含まれる不良モード情報が示す不良モードの不良を検出するための検査項目を特定する。特定部１１７は、特定した検査基準書に対応する品番および管理番号と、特定した検査項目と、を判定部１１３へ通知する。また、特定部１１７は、不良実績ＤＢ１３３から取得した不良実績情報を写真選定部１１９へ通知する。
【００５０】
判定部１１３は、検査基準書ＤＢ１３２から特定部１１７により特定された検査基準書を取得し、取得した検査基準書における、特定部１１７により特定された検査項目の有無を判定する。
【００５１】
写真選定部１１９は、特定部１１７から通知される不良実績情報に含まれる不良モードについての複数の写真データそれぞれの特徴量を取得する。そして、写真選定部１１９は、取得した複数の写真データそれぞれの特徴量に基づいて、その複数の写真データの中から情報出力部１１８に出力させる写真データを選定する。写真データの特徴量としては、例えば写真データの解像度や輝度、コントラストが挙げられる。
【００５２】
情報出力部１１８は、判定部１１３による判定結果に応じて、特定された検査項目に関する検査項目情報を出力する。具体的には、情報出力部１１８は、判定部１１３により、取得した検査基準書に含まれる検査項目の中に、特定部１１７の特定した検査項目が無いと判定されると、特定した検査項目を追加するよう催促するメッセージを示す検査項目情報（第１検査項目情報）を出力する。一方、情報出力部１１８は、判定部１１３により、取得した検査基準書に含まれる検査項目の中に、特定部１１７の特定した検査項目が有ると判定されると、特定した検査項目に対応する検査基準を更新するよう催促するメッセージを示す検査項目情報（第２検査項目情報）を出力する。また、情報出力部１１８は、写真選定部１１９により選定された写真データを表示部１０５へ出力する。
【００５３】
更新部１１４は、受付部１１０から更新部１１４へ通知される検査基準書を更新する旨の指令に基づいて、検査基準書の内容を更新する。
【００５４】
次に、検査基準書作成支援装置１が実行する検査基準作成処理について図１２乃至図１４を参照しながら説明する。この検査基準設定処理は、検査管理部門に属するユーザが検査基準書作成支援装置１へ電源を投入したことを契機として開始される。
【００５５】
まず、検査基準書作成部１１１は、図１２に示すように、検査基準書作成要求が通知されたか否かを判定する（ステップＳ１０１）。この検査基準書作成要求は、ユーザが図４に示すようなウィンドウ１５ａを表示部１０５に表示させてウィンドウ１５ａの各種入力欄Ｂ１、Ｂ２、Ｂ３等に情報を入力し、その後、「入力完了」釦ＥＫをクリックしたときに入力部１０４から検査基準書作成部１１１へ出力される。検査基準書作成部１１１により検査基準書作成要求を受けていないと判定されると（ステップＳ１０１：Ｎｏ）、後述のステップＳ１０３の処理が実行される。
【００５６】
一方、検査基準書作成部１１１が、検査基準書作成要求の通知を受けたと判定したとする（ステップＳ１０１：Ｙｅｓ）。この場合、検査基準書作成部１１１は、必須検査基準ＤＢ１３１から必須の検査項目とその検査項目に対応する検査基準および写真データとを取得して検査基準書を作成してから、検査基準書ＤＢ１３２に保存する（ステップＳ１０２）。
【００５７】
次に、検査実績記録部１１６は、端末装置３から検査実績情報を受信したか否かを判定する（ステップＳ１０３）。検査実績記録部１１６により検査実績情報を受信していないと判定されると（ステップＳ１０３：Ｎｏ）、後述のステップＳ１０５の処理が実行される。
【００５８】
一方、検査実績記録部１１６が、端末装置３から検査実績情報を受信したと判定したとする（ステップＳ１０３：Ｙｅｓ）。この場合、検査実績記録部１１６は、検査実績情報に含まれる品番情報、ロット番号情報および管理番号情報を、検査実績ＤＢ１３４に記録する（ステップＳ１０４）。
【００５９】
続いて、不良実績記録部１１２は、サーバ２から不良実績情報を受信したか否かを判定する（ステップＳ１０５）。不良実績記録部１１２により不良実績情報を受信していないと判定されると（ステップＳ１０５：Ｎｏ）、後述のステップＳ１１４の処理が実行される。
【００６０】
一方、不良実績記録部１１２は、サーバ２から不良実績情報を受信したと判定すると（ステップＳ１０５：Ｙｅｓ）、不良実績情報を不良実績ＤＢ１３３に記録する（ステップＳ１０６）。
【００６１】
その後、特定部１１７は、不良実績ＤＢ１３３から直近の不良実績情報を取得し、検査実績ＤＢを参照して、その不良実績情報に含まれる品番情報とロット番号情報とに対応する検査基準書の管理番号を特定する（ステップＳ１０７）。特定部１１７は、特定した管理番号を判定部１１３へ通知するとともに、取得した不良実績情報を写真選定部１１９へ通知する。
【００６２】
次に、特定部１１７は、検査項目ＤＢ１３５を参照して、取得した不良実績情報に含まれる不良モード情報に対応する検査項目を特定する（ステップＳ１０８）。特定部１１７は、特定した検査項目を判定部１１３へ通知する。
【００６３】
続いて、写真選定部１１９は、特定部１１７から通知される不良実績情報に含まれる写真データの中から、情報出力部１１８に出力させる写真データを選定する写真データ選定処理を実行する（ステップＳ１０９）。この写真データ選定処理の詳細は後述する。写真選定部１１９は、選定した写真データを情報出力部１１８へ通知する。
【００６４】
その後、判定部１１３は、特定部１１７から通知される管理番号が付与された検査基準書を検査基準書ＤＢ１３２から取得し、その検査基準書の検査項目の中に、特定部１１７から通知される検査項目が抜けているか否かを判定する（ステップＳ１１０）。判定部１１３により検査項目の抜けていないと判定されると（ステップＳ１１０：Ｎｏ）、後述のステップＳ１１２の処理が実行される。
【００６５】
一方、判定部１１３が、検査項目が抜けていると判定したとする（ステップＳ１１０：Ｙｅｓ）。この場合、情報出力部１１８は、抜けている検査項目の追加を催促するメッセージを示す検査項目情報と、写真選定部１１９から通知される不良モード情報に対応する写真データと、を表示部１０５へ出力する（ステップＳ１１１）。
【００６６】
次に、判定部１１３は、図１４に示すように、取得した検査基準書に含まれる複数の検査項目の中に不良モード情報に対応する検査項目が存在するか否かを判定する（ステップＳ１１２）。判定部１１３により検査基準書に含まれる複数の検査項目の中に不良モードに対応する検査項目が存在しないと判定されると（ステップＳ１１２：Ｎｏ）、後述のステップＳ１１４の処理が実行される。
【００６７】
この場合、表示部１０５には、例えば図１３（Ａ）に示すようなウィンドウ１５ｃが表示される。ウィンドウ１５ｃは、図７（Ａ）と同様に、製品の品番を表示する品番表示欄Ｂ４１と、製品の検査に用いられた検査基準書の管理番号を表示する管理番号表示欄Ｂ４６と、納入先から通知された不良モード情報を表示する不良モード表示欄Ｂ４２と、を含む。そして、ウィンドウ１５ｃは、追加すべき検査項目を示す追加検査項目表示欄Ｂ４３と、写真データが表示される写真表示欄Ｂ４４と、その写真データの名称を表示する写真データ名表示欄Ｂ４５と、を含む。追加検査項目表示欄Ｂ４３には、抜けている検査項目の名称が表示され、写真表示欄Ｂ４４、写真データ名表示欄Ｂ４５には、写真選定部１１９により選定された写真データとその名称とがそれぞれ表示される。
【００６８】
一方、判定部１１３が、検査基準書に含まれる複数の検査項目の中に不良モード情報に対応する検査項目が存在すると判定したとする（ステップＳ１１２：Ｙｅｓ）。この場合、情報出力部１１８は、特定部１１７から通知される不良モード情報に対応する検査項目を見直すことを催促するメッセージを示す検査項目情報と、写真選定部１１９から通知される不良モード情報に対応する写真データと、を表示部１０５へ出力する（ステップＳ１１３）。
【００６９】
ステップＳ１１０において判定部１１３により検査項目が抜けていないと判定された場合、表示部１０５には、図７（Ａ）に示すようなウィンドウ１５ｂが表示される。また、ステップＳ１１０において判定部１１３により抜けている検査項目が存在すると判定された場合、表示部１０５には、図１３（Ｂ）に示すようなウィンドウ１５ｄが表示される。ウィンドウ１５ｄでは、図１３（Ａ）に示す表示項目の下側に、検査基準の見直しが必要な検査項目を示す見直し検査項目表示欄Ｂ５３と、写真表示欄Ｂ５４と、写真データ名表示欄Ｂ５５と、が表示される。見直し検査項目表示欄Ｂ５３には、不良モード情報に対応する検査項目の名称が表示される。
【００７０】
ステップＳ１１３の処理が実行された後、更新部１１４は、検査基準書を更新するよう要求する検査基準書更新要求が通知されたか否かを判定する（ステップＳ１１４）。この検査基準書更新要求は、ユーザが図７（Ｂ）に示すようなウィンドウ１５ａを表示部１０４に表示させてウィンドウ１５ａの各種入力欄Ｂ１、Ｂ２、Ｂ３等に情報を入力し、その後、「入力完了」釦ＥＫをクリックしたときに入力部１０４から検査基準書作成部１１１へ出力される。更新部１１４により検査基準書更新要求を受けていないと判定されると（ステップＳ１１４：Ｎｏ）、後述のステップＳ１２０の処理が実行される。
【００７１】
一方、更新部１１４が、検査基準書更新要求の通知を受けたと判定したとする（ステップＳ１１４：Ｙｅｓ）。この場合、更新部１１４は、検査基準書ＤＢ１３２から内容を更新しようとする検査基準書を取得し、取得した検査基準書の内容を、入力部１０４から入力される各種情報を用いて更新する（ステップＳ１１５）。
【００７２】
その後、判定部１１３は、更新後の検査基準書の検査項目の中に不良モード情報に対応する検査項目が抜けているか否かを判定する（ステップＳ１１６）。判定部１１３により不良モード情報に対応する検査項目が抜けていないと判定されると（ステップＳ１１６：Ｎｏ）、後述のステップＳ１１８の処理が実行される。
【００７３】
一方、判定部１１３が、不良モード情報に対応する検査項目が抜けていると判定したとする（ステップＳ１１６：Ｙｅｓ）。この場合、情報出力部１１８は、抜けている検査項目の追加を催促するメッセージを示す検査項目情報と、写真選定部１１９から通知される不良モード情報に対応する写真データと、を表示部１０５へ出力する（ステップＳ１１７）。このとき、表示部１０５には、例えば図１３（Ａ）に示すようなウィンドウ１５ｃが表示される。
【００７４】
次に、判定部１１３は、更新後の検査基準書に含まれる複数の検査項目のうち、不良モード情報に対応する検査項目の検査基準または写真が変更されたか否かを判定する（ステップＳ１１８）。具体的には、判定部１１３は、更新前後における不良モードに対応する検査項目の検査基準が異なる、或いは更新前後における不良モードに対応する検査項目の写真データ名が異なる場合に、不良モードに対応する検査項目の検査基準または写真が変更されたと判定する。判定部１１３により不良モード情報に対応する検査項目の検査基準と写真のいずれかが変更されていると判定されると（ステップＳ１１８：Ｙｅｓ）、後述のステップＳ１２０の処理が実行される。
【００７５】
一方、判定部１１３が、不良モード情報に対応する検査項目の検査基準および写真の両方が変更されていないと判定したとする（ステップＳ１１８：Ｎｏ）。この場合、情報出力部１１８は、不良モード情報に対応する検査項目の更新を催促するメッセージを示す検査項目情報と、写真選定部１１９から通知される不良モード情報に対応する写真データと、を表示部１０５へ出力する（ステップＳ１１９）。このとき、表示部１０５には、例えば図７（Ａ）や図１３（Ｂ）に示すようなウィンドウ１５ｂ、１５ｄが表示される。
【００７６】
続いて、検査基準書作成部１１１は、ユーザが入力部１０４を介して検査基準設定処理を終了させるよう指令する終了指令が有ったか否かを判定する（ステップＳ１２０）。検査基準書作成部１１１により終了指令が有ったと判定されると（ステップＳ１２０：Ｙｅｓ）、検査基準設定処理が終了する。一方、検査基準書作成部１１１は、終了指令が無いと判定すると（ステップＳ１２０：Ｎｏ）、再びステップＳ１０１の処理を実行する。
【００７７】
次に、写真選定部１１９が実行する写真選定処理について図１５を参照しながら詳細に説明する。まず、写真選定部１１９は、特定部１１７から通知される不良実績情報から１つの不良モード情報に対応する全ての写真データを抽出する（ステップＳ２０１）。不良実績情報に複数の不良モード情報とそれらに対応する写真データとが含まれる場合は、写真選定部１１９は、複数の不良モード情報の中から１つの不良モード情報を選択し、それに対応する全ての写真データを抽出する。
【００７８】
次に、写真選定部１１９は、抽出した写真データが１つであるか否かを判定する（ステップＳ２０２）。写真選定部１１９は、抽出した写真データが１つであると判定されると（ステップＳ２０２：Ｙｅｓ）、その１つの写真データを不良モード情報に対応する検査項目の写真データとして選定する（ステップＳ２０６）。
【００７９】
一方、写真選定部１１９は、抽出した写真データが複数ある場合（ステップＳ２０２：Ｎｏ）、複数の写真データそれぞれの特徴量を取得する（ステップＳ２０３）。特徴量としては、複数の写真データそれぞれの解像度と輝度とコントラストの指標値とが採用される。写真選定部１１９は、各写真データに含まれるメタデータを参照して写真データの解像度を取得する。また、写真選定部１１９は、複数の写真データそれぞれについて色度変化処理を行うことにより写真データを構成する各画素の輝度を算出し、算出した輝度の総和を求めることにより写真データ全体の輝度を取得する。更に、写真選定部１１９は、複数の写真データそれぞれについて、写真データを構成する複数の画素のうち輝度が最大の画素の輝度と輝度が最小の画素の輝度との差分値をコントラストの指標値として取得する。
【００８０】
続いて、写真選定部１１９は、取得した複数の写真データそれぞれの特徴量に基づいて、各写真データのランク付けを実行する（ステップＳ２０４）。具体的には、写真選定部１１９は、まず、複数の写真データについて解像度が高いものほどランクが高くなるようにランク付けを実行する。そして、写真選定部１１９は、解像度が同じ複数の写真データが存在する場合、これらについて輝度が高いものほどランクが高くなるようにランク付けを実行する。更に、写真選定部１１９は、輝度が同じ複数の写真データが存在する場合、これらについてコントラストの指標値が高いものほどランクが高くなるようにランク付けを実行する。
【００８１】
その後、写真選定部１１９は、検査項目ＤＢ１３５から不良モード情報に対応する検査項目の写真データの数を取得する（ステップＳ２０５）。
【００８２】
次に、写真選定部１１９は、複数の写真データの中からランクが高いものから順番に、取得した写真データの数だけ選択して、選択した写真データを不良モード情報に対応する検査項目の写真データとして選定する（ステップＳ２０６）。
【００８３】
続いて、写真選定部１１９は、不良実績情報に含まれる全ての不良モード情報に対応する写真データの選定が完了したか否かを判定する（ステップＳ２０７）。写真選定部１１９は、写真データの選定がなされていない不良モード情報が残っていると判定すると（ステップＳ２０７：Ｎｏ）、その不良モード情報についてステップＳ２０１からＳ２０６までの一連の処理を実行する。一方、写真選定部１１９により、不良実績情報に含まれる全ての不良モード情報に対応する写真データの選定が完了したと判定されると（ステップＳ２０７：Ｙｅｓ）、図１２のステップＳ１１０の処理が実行される。
【００８４】
以上説明したように、本実施の形態に係る検査基準書作成支援装置１によれば、特定部１１７が、不良実績情報の対象の製品の検査で用いられた検査基準書を特定するとともに、不良モード情報が示す不良モードの不良を検出するための検査項目を特定する。そして、判定部１１３が、特定部１１７により特定された検査基準書の検査項目における、特定部１１７により特定された検査項目の有無を判定する。情報出力部１１８が、判定部１１３による判定結果に応じて、特定された検査基準書への特定された検査項目の追加および特定された検査項目の検査基準の更新を行うためのメッセージ情報を表示部１０５へ出力する。これにより、情報出力部１１８が出力する情報に基づいて、特定された検査基準書への特定された検査項目の追加または特定された検査項目の検査基準の更新が可能となる。そして、情報出力部１１８が出力する情報に基づいて検査項目の追加または検査基準の更新がなされた検査基準書を用いて検査が実施されることにより、特定された検査項目に対応する不良モードの不良を有する製品の市場への流出が防止される。つまり、本実施の形態に係る検査基準書作成支援装置１によれば、市場で発生している不良撲滅に最適な検査基準書の作成を支援することができる。
【００８５】
また、本実施の形態に係る情報出力部１１８は、判定部１１３により、取得した検査基準書に含まれる検査項目の中に、特定部１１７の特定した検査項目が無いと判定されると、その検査項目を追加するよう催促するメッセージを示す情報を表示部１０５へ出力する。一方、情報出力部１１８は、判定部１１３により、取得した検査基準書に含まれる検査項目の中に、特定部１１７の特定した検査項目が有ると判定されると、その検査項目に対応する検査基準を更新するよう催促するメッセージを示す情報を表示部１０５へ出力する、これにより、ユーザは、表示部１０５を介して追加すべき検査項目または検査基準を更新すべき検査項目を把握することができる。
【００８６】
更に、本実施の形態に係る不良実績ＤＢ１３３は、不良モードの写真データを、不良モード情報と対応づけて記憶している。そして、情報出力部１１８は、写真データを識別する写真データ名を表示部１０５へ出力する。これにより、ユーザは、市場で発生している不良モードを写真で確認することができるので、例えばこの不良モードに対応する検査項目の検査基準の更新をより的確に行うことが可能となる。
【００８７】
また、本実施の形態に係る検査基準書作成支援装置１は、不良モード情報毎に、複数の写真データそれぞれの特徴量に基づいて、複数の写真データの中から情報出力部１１８に出力させる写真データを選定する。これにより、ユーザは、検査基準書に最適な写真データを用いて検査基準書の内容を更新することが可能となる。
【００８８】
更に、本実施の形態に係る検査基準書作成支援装置１は、製品について必須の検査項目とその検査項目の検査基準とを記憶する必須検査基準ＤＢ１３１を備える。そして、検査基準書作成部１１１は、受付部１１０が受け付けた検査項目および検査基準と、必須検査基準ＤＢ１３１から取得した検査項目および検査基準と、を含む検査基準書を作成する。更新部１１４は、受付部１１０が受け付けた検査項目および検査基準を用いて検査基準書の内容を更新する。これにより、更新部１１４は、検査基準書のうち必須の検査項目と検査基準についてそれらの内容を更新しないので、これらの検査項目および検査基準がユーザにより変更されてしまうことを防止できる。
【００８９】
［変形例］
以上、本発明の実施の形態について説明したが、本発明は前述の実施の形態の構成に限定されるものではない。例えば、情報出力部１１８が、判定部１１３により、取得した検査基準書に含まれる検査項目の中に、特定部１１７の特定した検査項目が無いと判定されると、特定した検査項目を示す情報とこの検査項目に対応する写真データとを更新部１１４へ出力してもよい。この場合、更新部１１４は、情報出力部１１８から取得した検査項目と写真データとを検査基準書の内容に追加する。また、情報出力部１１８が、判定部１１３により、取得した検査基準書に含まれる検査項目の中に、特定部１１７の特定した検査項目が有ると判定されると、特定した検査項目とこの検査項目の検査基準を更新する旨を示す情報とを更新部１１４へ出力してもよい。この場合、更新部１１４は、情報出力部１１８から取得した検査項目についての写真データを、情報出力部１１８から取得した写真データに更新する。
【００９０】
本構成によれば、検査基準書ＤＢ１３２が記憶する検査基準書の内容が自動的に更新されるので、検査管理部門に属するユーザの検査基準書の管理負担が軽減される。
【００９１】
実施の形態では、写真選定部１１９が、複数の写真データそれぞれの解像度、輝度およびコントラストを示す指標値を用いて、複数の写真データのランク付けを実行する例について説明した。但し、写真選定部１１９が複数の写真データのランク付けを実行する際に用いる写真データの特徴量は、これらに限定されない。例えば、写真選定部１１９が、「キズ」や「折れ」等の不良部分の画像を認識するためのテンプレートを保持し、写真データ中における不良部分の画像の占有率が高いものほど高いランクを付けるように構成されていてもよい。
【００９２】
実施の形態では、サーバ２から検査基準書作成支援装置１へ送信される不良実績情報が、複数の写真データを含むことがある例について説明したが、これに限らず、不良実績情報が必ず１つの写真データしか含まない構成であってもよい。この場合、営業部門に属するユーザが、納入先から入手した複数の写真データの中から検査部門で実施される外観検査で使用するのに適した１つの写真データを選択してサーバ２から検査基準書作成支援装置１へ送信するようにすればよい。
【００９３】
実施の形態において、検査基準書ＤＢ１３２が、複数の納入先へ納入している製品の検査基準書について、納入先を識別する納入先識別情報と対応付けて記憶しているものであってもよい。この場合、不良実績情報は、納入先識別情報を含むものとし、検査基準書作成支援装置１が不良実績情報を受信した場合、判定部１１３は、不良実績情報に含まれる納入先識別情報が付与された検査基準書を検査基準書ＤＢ１３２から取得するようにすればよい。
【００９４】
本構成によれば、製品の納入先毎に個別に検査基準を設定することができるので、例えば複数の納入先で外観の受け入れ基準が異なる場合においても適切な検査基準の設定が可能となる。
【００９５】
また、本発明に係る検査基準書作成支援装置１の各種機能は、専用のシステムによらず、通常のコンピュータシステムを用いて実現可能である。例えば、ネットワークに接続されているコンピュータに、上記動作を実行するためのプログラムを、コンピュータシステムが読み取り可能な非一時的な記録媒体（ＣＤ−ＲＯＭ等）に格納して配布し、当該プログラムをコンピュータシステムにインストールすることにより、上述の処理を実行する検査基準書作成支援装置１を構成してもよい。
【００９６】
また、コンピュータにプログラムを提供する方法は任意である。例えば、プログラムは、通信回線の掲示版（ＢＢＳ）にアップロードされ、通信回線を介してコンピュータに配信されてもよい。そして、コンピュータは、このプログラムを起動して、ＯＳの制御の下、他のアプリケーションと同様に実行する。これにより、コンピュータは、上述の処理を実行する検査基準書作成支援装置１として機能する。
【００９７】
以上、本発明の各実施の形態および変形例（なお書きに記載したものを含む。以下、同
様。）について説明したが、本発明はこれらに限定されるものではない。本発明は、実施
の形態及び変形例が適宜組み合わされたもの、それに適宜変更が加えられたものを含む。
【符号の説明】
【００９８】
１：検査基準書作成支援装置、２：サーバ、３：端末装置、４：プリンタ、１５ａ，１５ｂ，１５ｃ，１５ｄ，２５ａ，３５ａ：ウィンドウ、１０１，２０１，３０１：処理部、１０３，２０３，３０３：記憶部、１０４，２０４，３０４：入力部、１０５，２０５，３０５：表示部、１０６，３０６：局所通信部、１０７，２０７：広域通信部、１０８：プリンタ通信部、１１０：受付部、１１１：検査基準書作成部、１１２：不良実績記録部、１１３：判定部、１１４：更新部、１１５：検査基準書提示部、１１６：検査実績記録部、１１７：特定部、１１８：情報出力部、１１９：写真選定部、１３１：必須検査基準ＤＢ、１３２：検査基準書ＤＢ、１３３：不良実績ＤＢ、１３４：検査実績ＤＢ、１３５：検査項目ＤＢ、Ａ２，Ａ３，Ａ２１，Ａ２２，Ａ３１，Ａ３２，Ａ４１，Ａ４２：写真データ、Ｂ１，Ｂ２，Ｂ３，Ｂ２１，Ｂ２２：入力欄、Ｂ１１，Ｂ４１，ＰＮ，ＰＮＤ：品番表示欄、Ｂ１２，Ｂ４２，Ｂ５２：不良モード表示欄、Ｂ１３，Ｂ５３：見直し検査項目表示欄、Ｂ１４，Ｂ３３，Ｂ４４，Ｂ５４：写真表示欄、Ｂ１５，Ｂ４５，Ｂ５５：写真データ名表示欄、Ｂ１６，Ｂ４６，ＶＮ：管理番号表示欄、Ｂ３１：検査項目表示欄、Ｂ３２：検査基準表示欄、Ｂ４３：追加検査項目表示欄、ＤＰ：紙媒体、ＬＮＴ：局所ネットワーク、Ｍ２：入力催促メッセージ、ＷＮＴ：広域ネットワーク
【図１】
2018014055.tif 000003
【図２】
2018014055.tif 000004
【図３】
2018014055.tif 000005
【図４】
2018014055.tif 000006
【図５】
2018014055.tif 000007
【図６】
2018014055.tif 000008
【図７】
2018014055.tif 000009
【図８】
2018014055.tif 000010
【図９】
2018014055.tif 000011
【図１０】
2018014055.tif 000012
【図１１】
2018014055.tif 000013
【図１２】
2018014055.tif 000014
【図１３】
2018014055.tif 000015
【図１４】
2018014055.tif 000016
【図１５】
2018014055.tif 000017